(57)【特許請求の範囲】
【請求項１】
ワイヤレス通信デバイスであって、
別のデバイスにワイヤレス送信するために、セルラー信号と、第１の非セルラー信号と、第２の非セルラー信号とを生成するように構成された制御論理回路と、
第１および第２のアンテナと、
前記制御論理回路と前記第１および第２のアンテナとに結合された、通常モード中に、前記第１および第２の非セルラー信号を前記第１のアンテナにルーティングし、前記セルラー信号を前記第２のアンテナにルーティングするように構成され、共有モード中に、前記第１の非セルラー信号を前記第１のアンテナにルーティングし、前記第２の非セルラー信号を前記第２のアンテナにルーティングするように構成された切替論理回路と
を備える、ワイヤレス通信デバイス。
【請求項２】
前記第１の非セルラー信号は、Ｂｌｕｅｔｏｏｔｈ信号を含み、前記第２の非セルラー信号は、Ｗｉ−Ｆｉ信号を含む、請求項１に記載のデバイス。
【請求項３】
前記共有モード中に、前記切替論理回路は、前記セルラー信号を前記第２のアンテナにルーティングしない、請求項１に記載のデバイス。
【請求項４】
前記切替論理回路は、
コア論理回路から前記第１の非セルラー信号を受け取る第１のポートと、前記第１のアンテナに結合された第２のポートと、第３のポートと、アンテナ選択信号を受け取る制御入力部とを有するスイッチと、
前記コア論理回路から前記セルラー信号を受け取る第１のポートと、前記スイッチの前記第３のポートに結合された第２のポートと、前記第２のアンテナに結合された第３のポートと、前記アンテナ選択信号を受け取る制御入力部とを有するアンテナ共有論理回路と
を備える、請求項１に記載のデバイス。
【請求項５】
前記アンテナ選択信号は、前記セルラー信号の通信に関連するアイドル時間の検出に応答して前記共有モードを示すためにアサート停止される、請求項４に記載のデバイス。
【請求項６】
前記セルラー信号のスケジューリング情報を送信／受信したことに応答して前記アンテナ選択信号を選択的にアサート停止するように構成された調停論理回路
をさらに備える、請求項４に記載のデバイス。
【請求項７】
前記調停論理回路は、前記アンテナ選択信号に応答して前記非セルラー信号のゲイン設定を選択的に調整するようにさらに構成される、請求項６に記載のデバイス。
【請求項８】
前記調停論理回路は、前記第１の非セルラー信号の送信スケジュールに応答して前記アンテナ選択信号を選択的にアサートするようにさらに構成される、請求項６に記載のデバイス。
【請求項９】
前記調停論理回路は、前記非セルラー信号に関連する制御回路に、前記セルラー信号の送信／受信スケジューリング情報を提供するようにさらに構成される、請求項６に記載のデバイス。
【請求項１０】
前記切替論理回路は、ルックアップテーブルに記憶された、前記セルラー信号および前記非セルラー信号に関連する送信／受信スケジューリング情報に応答する、請求項１に記載のデバイス。
【請求項１１】
ワイヤレス通信デバイスを動作させる方法であって、
通常モード中に、第１のアンテナを介してＢｌｕｅｔｏｏｔｈ信号およびＷｉ−Ｆｉ信号を別のデバイスに通信し、第２のアンテナを介してセルラー信号を前記別のデバイスに通信することと、
前記セルラー信号の送信または受信に関連するアイドル時間がある場合、アンテナ共有モードに入ることと、
前記アンテナ共有モード中に、前記第１のアンテナを介して前記Ｗｉ−Ｆｉ信号を前記別のデバイスに通信し、前記第２のアンテナを介して前記Ｂｌｕｅｔｏｏｔｈ信号を前記別のデバイスに通信することと
を備える、方法。
【請求項１２】
前記セルラー信号は、前記アンテナ共有モード中に、前記第２のアンテナを介しては送信されない、請求項１１に記載の方法。
【請求項１３】
前記入ることは、
前記アイドル時間が存在するかどうかを判定するために前記セルラー信号の前記送信および受信に関するスケジューリング情報を記憶するルックアップテーブルを監視すること
を含む、請求項１１に記載の方法。
【請求項１４】
前記入ることは、
前記アンテナ共有モードを開始させるために、前記スケジューリング情報に応答してアンテナ選択信号をアサートすること
をさらに含む、請求項１３に記載の方法。
【請求項１５】
前記Ｂｌｕｅｔｏｏｔｈ信号およびＷｉ−Ｆｉ信号に関連する制御回路に前記セルラー信号スケジューリング情報を提供することと、
前記セルラー信号スケジューリング情報に応答して前記制御回路のゲイン設定を選択的に調整することと
をさらに備える、請求項１１に記載の方法。
【請求項１６】
ワイヤレス通信デバイスであって、
通常モード中に、第１のアンテナを介してＢｌｕｅｔｏｏｔｈ信号およびＷｉ−Ｆｉ信号を別のデバイスに通信し、第２のアンテナを介してセルラー信号を前記別のデバイスに通信するための手段と、
前記セルラー信号の送信または受信に関連するアイドル時間がある場合、アンテナ共有モードに入るための手段と、
前記アンテナ共有モード中に、前記第１のアンテナを介して前記Ｗｉ−Ｆｉ信号を前記別のデバイスに通信し、前記第２のアンテナを介して前記Ｂｌｕｅｔｏｏｔｈ信号を前記別のデバイスに通信するための手段と
を備える、ワイヤレス通信デバイス。
【請求項１７】
前記セルラー信号は、前記アンテナ共有モード中に、前記第２のアンテナを介しては送信されない、請求項１６に記載のデバイス。
【請求項１８】
入るための前記手段は、
前記アイドル時間が存在するかどうかを判定するために前記セルラー信号の前記送信および受信に関するスケジューリング情報を記憶するルックアップテーブルを監視するための手段
を含む、請求項１６に記載のデバイス。
【請求項１９】
入るための前記手段は、
前記アンテナ共有モードを開始させるために、前記スケジューリング情報に応答してアンテナ選択信号をアサートするための手段
をさらに含む、請求項１８に記載のデバイス。
【請求項２０】
前記Ｂｌｕｅｔｏｏｔｈ信号およびＷｉ−Ｆｉ信号に関連する制御回路に前記セルラー信号スケジューリング情報を提供するための手段と、
前記セルラー信号スケジューリング情報に応答して前記制御回路のゲイン設定を選択的に調整するための手段と
をさらに備える、請求項１６に記載のデバイス。
【発明の詳細な説明】
【技術分野】
【０００１】
本実施形態は、一般に、通信システムに関し、詳細には、アンテナの動的共有に関する。
【背景技術】
【０００２】
多くのワイヤレスデバイスが、ワイヤレスローカルエリアネットワーク（ＷＬＡＮ）信号、Ｂｌｕｅｔｏｏｔｈ（登録商標）（ＢＴ）信号、および／またはセルラー信号を使用して他のデバイスとワイヤレス通信することが可能である。たとえば、多くのラップトップ、ネットブックコンピュータ、モバイルフォン、およびタブレットデバイスが、インターネットおよび／またはプライベートネットワークなどのネットワークにワイヤレス接続するためにＷＬＡＮ信号（一般に、Ｗｉ−Ｆｉ信号とも呼ばれる）を使用し、ヘッドセット、プリンタ、スキャナなどのローカルなＢＴ対応デバイスと通信するためにＢｌｕｅｔｏｏｔｈ信号を使用する。Ｗｉ−Ｆｉ通信は、ＩＥＥＥ８０２．１１規格ファミリーによって管理され、Ｂｌｕｅｔｏｏｔｈ通信は、ＩＥＥＥ８０２．１５規格ファミリーによって管理される。Ｗｉ−Ｆｉ信号およびＢｌｕｅｔｏｏｔｈ信号は、典型的には、ＩＳＭバンド（たとえば、２．４〜２．４８ＧＨｚ）で動作する。さらに、多くのモバイル通信デバイス（タブレットデバイスおよびセルラーフォンなど）は、通常は２．５ＧＨｚのレンジで動作するロングタームエボリューション（「ＬＴＥ」：long term evolution）プロトコルなどのセルラープロトコルを使用してワイヤレス通信することも可能である。
【０００３】
Ｗｉ−Ｆｉ信号とＢｌｕｅｔｏｏｔｈ信号の両方を同時に送信するためには（たとえば、ＢＴ対応ヘッドセットにオーディオ情報を送信しながら、Ｗｉ−Ｆｉ信号を介してネットワークに情報を送信するためには）、Ｗｉ−Ｆｉ信号を送信するために第１の外部アンテナを使用し、Ｂｌｕｅｔｏｏｔｈ信号を送信するために第２の外部アンテナを使用することが好ましい。能動型干渉除去（ＡＩＣ：active interference cancellation）などの機能があれば、１つのアンテナで送信しながら、他のアンテナで受信し、それによって、デバイスのスループット性能を大幅に改善することが可能である。しかしながら、多くのモバイルデバイスは、コストおよび／またはスペースの問題のために、Ｗｉ−ＦｉとＢｌｕｅｔｏｏｔｈの両方のシグナリングに単一の共有アンテナを使用する。さらに、ＬＴＥまたは他のセルラーフォンプロトコルを使用して通信することが可能なモバイル通信デバイスの場合、追加のアンテナは、通常、セルラー通信のみを扱うための専用のものである。
【０００４】
したがって、Ｗｉ−Ｆｉ、Ｂｌｕｅｔｏｏｔｈ、およびＬＴＥ通信用に別々の（たとえば、専用の）アンテナを使用することが好ましいが、モバイル通信デバイスの多くの製造業者は、ＬＴＥ、Ｗｉ−Ｆｉ、およびＢｌｕｅｔｏｏｔｈの通信用に別々のアンテナを実装するのに必要な追加のコストおよび／またはスペースを正当化することができなかった。したがって、性能を低下させない方式で、Ｗｉ−Ｆｉ信号、Ｂｌｕｅｔｏｏｔｈ信号、およびＬＴＥ信号の間でアンテナリソースを動的に共有することが必要とされる。
【発明の概要】
【０００５】
本実施形態は、一例として示されており、添付の図面の図によって限定されるものではない。
【図面の簡単な説明】
【０００６】
【図１】本実施形態が実装され得るワイヤレスデバイスを示す図。
【図２】アンテナを動的に共有することが可能なワイヤレスデバイスのハイレベルブロック図。
【図３Ａ】図２のワイヤレスデバイスの一実施形態のブロック図。
【図３Ｂ】図２のワイヤレスデバイスの別の実施形態のブロック図。
【図３Ｃ】図２のワイヤレスデバイスのさらに別の実施形態のブロック図。
【図４Ａ】図３Ａに示すアンテナ共有論理回路の一実施形態のより詳細な図。
【図４Ｂ】図３Ａに示すアンテナ共有論理回路の別の実施形態のより詳細な図。
【図５】いくつかの実施形態による、アンテナを動的に共有するワイヤレスデバイスの例示的な動作を示すフローチャート。
【図６】他の実施形態による、アンテナを動的に共有するワイヤレスデバイスの例示的な動作を示すフローチャート。
【発明を実施するための形態】
【０００７】
図面全体を通して、同様の参照番号は対応する部分を指す。
【０００８】
本実施形態について、単に簡単にするために、Ｗｉ−Ｆｉ、Ｂｌｕｅｔｏｏｔｈ、およびロングタームエボリューション（ＬＴＥ）信号を送信および受信することが可能な、モバイル通信デバイスにおいてアンテナを動的に共有することに関して以下で説明する。本実施形態は、他の様々なワイヤレス規格またはプロトコルの信号を送信するために使用されるアンテナを動的に共有するのに等しく適用できることを理解されたい。本開示の完全な理解を与えるために、以下の記述では、特定の構成要素、回路、ソフトウェアおよびプロセスの例などの多数の具体的な詳細について説明する。同じく本実施形態の完全な理解を与えるために、以下の記述では、説明を目的として具体的な名称について説明する。ただし、これらの具体的な詳細は、本実施形態を実行するために必要でなくてもよいことが当業者には明らかであろう。他の場合には、本開示を不明瞭にしないように、よく知られている回路およびデバイスをブロック図の中で示す。本明細書で使用する「結合される」という用語は、直接接続されること、または１つもしくは複数の介在する構成要素または回路を介して接続されることを意味する。本明細書に記載する様々なバスに供給される信号のうちのいずれも、他の信号によって時間多重化され、１つまたは複数の共通バスに供給され得る。さらに、回路要素またはソフトウェアブロック間の相互接続は、バスまたは単一の信号線として示すことができる。バスの各々は代替的に単一の信号線であってもよく、単一の信号線の各々は代替的に複数のバスであってもよく、単一の線またはバスは、構成要素間の通信のための無数の物理または論理機構のうちの任意の１つまたは複数を表してもよい。さらに、以下の説明で様々な信号に割り当てられた論理レベルは、任意のものであり、したがって、必要に応じて変更（たとえば、極性の反転）され得る。たとえば、制御信号のアサートされた（asserted）状態およびアサート停止された（de-asserted）状態は、本実施形態の範囲から逸脱することなく反転され得る。したがって、本実施形態は、本明細書に記載された具体的な例に限定されるものと解釈すべきではなく、むしろ添付の特許請求の範囲によって規定されたすべての実施形態をその範囲内に含む。
【０００９】
図１は、様々なプロトコルを使用してワイヤレス信号を送信および受信するためのアンテナを動的に共有するように構成され得る、ラップトップおよびセルラーフォンなどのワイヤレスデバイス１００を示す。ワイヤレスデバイス１００は、Ｗｉ−Ｆｉ機能とＢｌｕｅｔｏｏｔｈ機能の両方を有することに加えて、たとえば、ロングタームエボリューション（ＬＴＥ）および／または他の適切なセルラー通信プロトコルを使用して、セルラーデータネットワークにわたってワイヤレスに通信することも可能である。簡単のために図示されていないが、ワイヤレスデバイス１００には、タブレットコンピュータ、デスクトップコンピュータ、ＰＤＡなどの他のデバイスが含まれ得る。いくつかの実施形態の場合、ワイヤレスデバイス１００は、インターネット、ＬＡＮ、ＷＬＡＮ、および／またはＶＰＮとデータを交換するためにＷｉ−Ｆｉ信号を使用することができ、ヘッドセット、プリンタ、スキャナなどのローカルなＢＴ対応デバイスとデータを交換するためにＢｌｕｅｔｏｏｔｈ信号を使用することができ、他のデバイスとのセルラーフォン通信を実施するためにＬＴＥ信号を使用することができる。
【００１０】
図２は、コア論理回路２１０と、送受信機制御論理回路２２０と、２つ以上のアンテナ２３０および２４０と、アンテナ共有論理回路２５０とを含むように示されるワイヤレスデバイス１００のハイレベル機能ブロック図である。プロセッサおよびメモリ要素などのよく知られている要素を含み得るコア論理回路２１０は、ワイヤレスデバイス１００の一般データ生成機能および処理機能を実行する。送受信機制御論理回路２２０は、ＷＬＡＮ制御回路２２１と、Ｂｌｕｅｔｏｏｔｈ制御回路２２２と、ＬＴＥ制御回路２２３とを含み、コア論理回路２１０に結合され、アンテナ共有論理回路２５０を介して外部アンテナ２３０および２４０に結合される。ＷＬＡＮ制御回路２２１は、デバイス１００のＷｉ−Ｆｉ信号の送信および受信を制御するように構成される。Ｂｌｕｅｔｏｏｔｈ制御回路２２２は、デバイス１００のＢｌｕｅｔｏｏｔｈ信号の送信および受信を制御するように構成される。ＬＴＥ制御回路２２３は、デバイス１００のＬＴＥ信号または他のセルラー信号の送信および受信を制御するように構成される。コア論理回路２１０、ＷＬＡＮ制御回路２２１、Ｂｌｕｅｔｏｏｔｈ制御回路２２２、および／またはＬＴＥ制御回路２２３内の様々な構成要素（簡単のために図示せず）は、たとえば、アナログ論理回路、デジタル論理回路、プロセッサ（たとえば、ＣＰＵ、ＤＳＰ、マイクロコントローラなど）、特定用途向け集積回路（ＡＳＩＣ）、フィールドプログラマブルゲートアレイ（ＦＰＧＡ）、または以上の任意の組合せを使用することを含めて、様々な方法で実装され得る。本開示では、制御論理回路２２０には、デジタル処理回路だけでなく、アナログ（たとえば、ＲＦ）処理回路が含まれ得る。
【００１１】
本実施形態によれば、アンテナ共有論理回路２５０は、ＷＬＡＮ制御回路２２１、Ｂｌｕｅｔｏｏｔｈ制御回路２２２、およびＬＴＥ制御回路２２３をアンテナ２３０および／または２４０に選択的に結合することができる。いくつかの実施形態の場合、ＷＬＡＮ制御回路２２１、Ｂｌｕｅｔｏｏｔｈ制御回路２２２、またはＬＴＥ制御回路２２３のうちの１つが、データを送信または受信していないとき、アンテナ共有論理回路２５０は、たとえば、他の２つの制御回路の各々が専用アンテナ（以下でより詳細に説明する）に効果的に結合されるように、他の２つの制御回路が使用するためのアンテナ２３０および２４０をプロビジョニングする。さらに、ＷＬＡＮ制御回路２２１、Ｂｌｕｅｔｏｏｔｈ制御回路２２２、および／またはＬＴＥ制御回路２２３は、図２には別の構成要素として示すが、同じ集積回路（ＩＣ）チップ上に実装され得る。他の実施形態の場合、ＷＬＡＮ制御回路２２１、Ｂｌｕｅｔｏｏｔｈ制御回路２２２、および／またはＬＴＥ制御回路２２３は、同じチップ上の１つまたは複数の構成要素を共有することができる。いくつかの実施形態の場合、コア論理回路２１０、送受信機制御論理回路２２０、およびアンテナ共有論理回路２５０はすべて、同じＩＣチップ上に実装され得る。
【００１２】
デバイス１００の通常の送信動作中、コア論理回路２１０は、Ｗｉ−Ｆｉプロトコルに従って送信用データをＷＬＡＮ制御回路２２１に提供し、Ｂｌｕｅｔｏｏｔｈプロトコルに従って送信用データをＢｌｕｅｔｏｏｔｈ制御回路２２２に提供し、ＬＴＥプロトコルに従って送信用データをＬＴＥ制御回路２２３に提供する。より具体的には、いくつかの実施形態の場合、ＷＬＡＮ制御回路２２１は、（たとえば、よく知られているＷｉ−Ｆｉプロトコルに従って）第１のアンテナによってブロードキャストされ得るＷｉ−Ｆｉ信号を生成するために、コア論理回路２１０から受け取ったデータを使用する。同様に、Ｂｌｕｅｔｏｏｔｈ制御回路２２２は、（たとえば、よく知られているＢｌｕｅｔｏｏｔｈプロトコルに従って）第１のアンテナによってブロードキャストされ得るＢｌｕｅｔｏｏｔｈ信号を生成するために、コア論理回路２１０から受け取ったデータを使用する。いくつかの実施形態の場合、信号スプリッタ／コンバイナ回路（簡単のために図２に示さず）は、たとえば、図３Ａに関して以下でより詳細に説明するように、第１のアンテナを介して同時にＷｉ−Ｆｉ信号およびＢｌｕｅｔｏｏｔｈ信号を送信するために使用され得る。ＬＴＥ制御回路２２３は、（たとえば、よく知られているＬＴＥプロトコルに従って）第２のアンテナによってブロードキャストされ得るＬＴＥ信号を生成するために、コア論理回路２１０によって提供されたデータを使用する。
【００１３】
ＬＴＥ制御回路２２３は、典型的には、セルラー通信を扱い、（たとえば、いかなる呼も受信または送信しないとき）規則的なアイドル時間周期を経験し得る。したがって、アンテナ共有論理回路２５０は、そのようなアイドル時間中に第２のアンテナを使用しないままにするのではなく、ＬＴＥ回路２２３がデータを送信または受信しないとき、Ｂｌｕｅｔｏｏｔｈ信号またはＷｉ−Ｆｉ信号のいずれかを第２のアンテナに選択的に関連付け（たとえば、結合し）得る。このようにして、アンテナ共有論理回路２５０は、基本的に、ＬＴＥのアイドル時間中にＷＬＡＮ制御回路２２１およびＢｌｕｅｔｏｏｔｈ制御回路２２２の各々のために専用アンテナについて調停し、それにより、ワイヤレスデバイス１００は、別々のアンテナを使用してＢｌｕｅｔｏｏｔｈ信号およびＷｉ−Ｆｉ信号を他のデバイスと通信することができる。
【００１４】
いくつかの実施形態の場合、ＬＴＥ制御回路２２３がＬＴＥデータ（たとえば、ＬＴＥアイドル時間の終了を示す）を送信および／または受信し始めるとき、アンテナ共有論理回路２５０は、ＬＴＥ信号を第２のアンテナに関連付け、Ｗｉ−Ｆｉ信号とＢｌｕｅｔｏｏｔｈ信号の両方を第１のアンテナに関連付けることにより、通常動作を再開することができる。このようにして、第２のアンテナは、ＬＴＥ制御回路２２３がＬＴＥデータを送信および／または受信し始めるとき、ＬＴＥ制御回路２２３に利用可能にする。
【００１５】
図３Ａは、図２のデバイス１００の一実施形態であるワイヤレスデバイス３００を示す。ワイヤレスデバイス３００は、コア論理回路２１０と、送受信機制御論理回路３１０と、アンテナ共有論理回路３５０と、３つのアンテナの組Ａ１〜Ａ３と、ＢｌｕｅｔｏｏｔｈスイッチＳＷ１と、よく知られている信号スプリッタ／コンバイナ回路３２０とを含む。アンテナＡ１〜Ａ３は、よく知られている。図２の送受信機制御論理回路２２０の一実施形態である送受信機制御論理回路３１０は、ＷＬＡＮ制御回路２２１と、Ｂｌｕｅｔｏｏｔｈ制御回路２２２と、ＬＴＥ制御回路２２３と、調停論理回路３１２とを含むように示される。また、送受信機制御論理回路３１０は、コア論理回路２１０に結合されるように示される。信号スプリッタ／コンバイナ回路３２０を介して第１のアンテナＡ１に結合されるＷＬＡＮ制御回路２２１は、送信動作中にアンテナＡ１を介してブロードキャストするためにＷｉ−Ｆｉ信号ＷＦ１を生成するように構成され、受信動作中にＷｉ−Ｆｉ信号ＷＦ１を受信するように構成される。
【００１６】
スイッチＳＷ１を介して信号スプリッタ／コンバイナ回路３２０を通して第１のアンテナＡ１に選択的に結合され、アンテナ共有論理回路３５０およびスイッチＳＷ１を介して第２のアンテナＡ２に選択的に結合されるＢｌｕｅｔｏｏｔｈ制御回路２２２は、送信動作中にアンテナＡ１またはアンテナＡ２を介してブロードキャストするためにＢｌｕｅｔｏｏｔｈ信号ＢＴ１を生成するように構成され、受信動作中にアンテナＡ１またはアンテナＡ２のいずれかからＢｌｕｅｔｏｏｔｈ信号を受信するように構成される。
【００１７】
簡単のために図示されていないが、Ｂｌｕｅｔｏｏｔｈ信号ＢＴ１は、適切なＢＴパワーアンプによって増幅することができ、Ｗｉ−Ｆｉ信号ＷＦ１は、適切なＷｉ−Ｆｉパワーアンプによって増幅することができる。他の実施形態の場合、信号ＢＴ１およびＷＦ１用の別個のパワーアンプを省略することができ、スプリッタ／コンバイナ回路３２０の出力は、第１のアンテナＡ１に結合される出力部を有する適切なパワーアンプ（簡単のために図示せず）の入力部に提供され得る。
【００１８】
通常の送信動作中、スプリッタ／コンバイナ回路３２０は、ＷＬＡＮ制御回路２２１からＷｉ−Ｆｉ信号ＷＦ１を受信し、Ｂｌｕｅｔｏｏｔｈ制御回路２２２からＢｌｕｅｔｏｏｔｈ信号ＢＴ１を受信し、よく知られている方法で第１のアンテナＡ１を介して別のデバイスとワイヤレス通信するために、Ｗｉ−Ｆｉ信号ＷＦ１とＢｌｕｅｔｏｏｔｈ信号ＢＴ１とを合成してＷＦ１／ＢＴ１合成信号にする。受信動作中、スプリッタ／コンバイナ回路３２０は、第１のアンテナＡ１からＷＦ１／ＢＴ１合成信号を受信し、受信したＷｉ−Ｆｉ信号ＷＦ１がＷＬＡＮ制御回路２２１に提供され、受信したＢｌｕｅｔｏｏｔｈ信号ＢＴ１がＢｌｕｅｔｏｏｔｈ制御回路２２２に提供されるように、信号をその別個のＷＬＡＮ成分およびＢＴ成分に分割する。
【００１９】
ＬＴＥ制御回路２２３は、アンテナ共有論理回路３５０を介して第２のアンテナＡ２に選択的に結合され、第３のアンテナＡ３に結合される。したがって、本明細書で説明する例示的な実施形態の場合、ＬＴＥ制御回路２２３は、第１および第２のＬＴＥ信号ＬＴ１およびＬＴ２を生成し、それにより、第１の信号ＬＴ１は、アンテナ共有論理回路３５０を介して第２のアンテナＡ２に選択的に提供され、第２の信号ＬＴ２は、第３のアンテナＡ３に提供される。簡単のために図示されていないが、アンテナＡ２およびＡ３の各々は、それぞれのパワーアンプに結合されてもよい。
【００２０】
任意の適切なＲＦスイッチとすることができるＢｌｕｅｔｏｏｔｈスイッチＳＷ１は、Ｂｌｕｅｔｏｏｔｈ制御回路２２２に結合される第１のポートと、スプリッタ／コンバイナ回路３２０に結合される第２のポートと、アンテナ共有論理回路３５０に結合される第３のポートと、アンテナ選択信号ＡＮＴ＿ＳＥＬを受信する制御入力部とを含む。選択信号ＡＮＴ＿ＳＥＬは、スイッチＳＷ１がＢｌｕｅｔｏｏｔｈ制御回路２２２をコンバイナ／スプリッタ回路３２０またはアンテナ共有論理回路３５０のいずれかに結合させるかどうかを決定する。たとえば、スイッチＳＷ１が（たとえば、ＡＮＴ＿ＳＥＬのアサートされた状態に応答して）第１の状態であるとき、スイッチＳＷ１は、通常の送信動作中にＢｌｕｅｔｏｏｔｈ制御回路２２２から出力されるＢＴ信号がコンバイナ／スプリッタ回路３２０にルーティングされ、その後、アンテナＡ１を介してブロードキャストするためにＷＦ１と合成されるように、また、通常の受信動作中にアンテナＡ１から受信されコンバイナ／スプリッタ回路３２０によって分割されるＢＴ信号がＢｌｕｅｔｏｏｔｈ制御回路２２２にルーティングされるように、Ｂｌｕｅｔｏｏｔｈ制御回路２２２をコンバイナ／スプリッタ回路３２０に接続させる。反対に、スイッチＳＷ１が（たとえば、ＡＮＴ＿ＳＥＬのアサート停止された状態に応答して）第２の状態であるとき、スイッチＳＷ１は、送信動作中にＢｌｕｅｔｏｏｔｈ制御回路２２２から出力されるＢＴ信号がアンテナ共有論理回路３５０にルーティングされ、その後、アンテナＡ２を介してブロードキャストするように、また、受信動作中にアンテナ共有論理回路３５０を介してアンテナＡ２から受信されるＢＴ信号がＢｌｕｅｔｏｏｔｈ制御回路２２２にルーティングされるように、Ｂｌｕｅｔｏｏｔｈ制御回路２２２をアンテナ共有論理回路３５０に接続させる。
【００２１】
アンテナ共有論理回路３５０は、アンテナＡ１〜Ａ２と送受信機制御論理回路３１０との間に結合される。図示する特定の実施形態では、アンテナ共有論理回路３５０は、スイッチＳＷ１を介してＢｌｕｅｔｏｏｔｈ制御回路２２２に選択的に結合される第１のポートを含み、ＬＴＥ制御回路２２３に結合される第２のポートを含み、第２のアンテナＡ２に結合される第３のポートを含み、選択信号ＡＮＴ＿ＳＥＬを受信する制御入力部を含む。「ＬＴＥアンテナ共有」モードまたは「ＬＴＥパススルー」モードのいずれかにおいて動作するようにアンテナ共有論理回路３５０（およびスイッチＳＷ１）を設定することができる選択信号ＡＮＴ＿ＳＥＬは、調停論理回路３１２によって生成され得る。いくつかの実施形態の場合、アンテナ共有論理回路３５０およびスイッチＳＷ１は、Ｂｌｕｅｔｏｏｔｈ信号を第１のアンテナＡ１または第２のアンテナＡ２のいずれかに選択的にルーティングする切替論理回路を形成する。
【００２２】
ＬＴＥ制御回路２２３、Ｂｌｕｅｔｏｏｔｈ制御回路２２２、およびＷＬＡＮ制御回路２２１に結合されるポートを含む調停論理回路３１２は、ＬＴＥ制御回路２２３とＢｌｕｅｔｏｏｔｈ制御回路２２２との間で第２のアンテナＡ２へのアクセスについて調停するように構成される。いくつかの実施形態の場合、調停論理回路３１２は、ＬＴＥ送信スケジュールおよび／または受信スケジュールを示すスケジューリング情報を受信することができ、それに応じて、ＬＴＥ信号ＬＴ１が使用されていないアイドル時間を判定することができる。スケジューリング情報は、ワイヤレス通信事業者またはデバイス製造業者の仕様に応じてプリプログラムされ得るか、またはＬＴＥ制御回路２２３によって提供され得る。一実施形態の場合、調停論理回路３１２は、ＬＴＥ信号に関するスケジューリング情報を記憶するルックアップテーブルを含むことができる。さらに、いくつかの実施形態の場合、調停論理回路３１２は、別のモバイル通信デバイスに情報を送信し、および／または別のモバイル通信デバイスから情報を受信するのを開始または停止しようとしているとき、ＬＴＥ制御回路２２３から通知を受け取ることができる。
【００２３】
本実施形態によれば、調停論理回路３１２は、デバイス３００のアンテナリソースを最大化するために、Ｂｌｕｅｔｏｏｔｈ制御回路２２２（またはそうでない場合、ＷＬＡＮ制御回路２２１）の第２のアンテナＡ２へのアクセスを許可する機会としてＬＴＥアイドル時間を使用することができる。調停論理回路３１２は、これらのＬＴＥアイドル時間中にＢｌｕｅｔｏｏｔｈの送信／受信の経過を監視し、それに応じて、（たとえば、現在のＢＴ動作の全部または一部が完了した後）ＬＴＥ制御回路２２３に再びアンテナＡ２へのアクセスを選択的に許可することができる。いくつかの実施形態の場合、調停論理回路３１２は、ＬＴＥまたはＢｌｕｅｔｏｏｔｈが第２のアンテナＡ２を使用しているかどうかに応じて、ＢＴおよび／またはＬＴＥの送信／受信（Ｔｘ／Ｒｘ）チェーンにおける１つまたは複数の設定値（たとえば、ゲインテーブル、較正値など）を調整するために使用することもできる。一実施形態の場合、調停論理回路３１２は、アンテナ調停に応じてＷＬＡＮ  Ｔｘ／Ｒｘチェーンの１つまたは複数の設定値を調整することもできる。
【００２４】
上述のように、調停論理回路３１２によって生成される選択信号ＡＮＴ＿ＳＥＬは、（たとえば、ＬＴＥアイドル時間があるかどうかに応じて）「ＬＴＥアンテナ共有」モードまたは「ＬＴＥパススルー」モードのいずれかにおいて動作するようにアンテナ共有論理回路３５０を設定するために使用することができる。選択信号ＡＮＴ＿ＳＥＬが、ＬＴＥパススルーモードを示す第１の（たとえば、アサートされた）状態であるとき、スイッチＳＷ１は、Ｂｌｕｅｔｏｏｔｈ制御回路２２２をスプリッタ／コンバイナ回路３２０に結合させ、Ｂｌｕｅｔｏｏｔｈ制御回路２２２をアンテナ共有論理回路３５０から切断し、それにより、Ｗｉ−Ｆｉ信号ＷＦ１と合成させ、その後、第１のアンテナＡ１からワイヤレスでブロードキャストするために、ＢＴ１信号をＢｌｕｅｔｏｏｔｈ制御回路２２２からスプリッタ／コンバイナ回路３２０にルーティングする。また、ＡＮＴ＿ＳＥＬのアサートされた状態により、アンテナ共有論理回路３５０は、第１のＬＴＥ信号ＬＴ１を第２のアンテナＡ２にルーティングすることになる（たとえば、一方で、第２のＬＴＥ信号ＬＴ２は、ＬＴＥ制御回路２２３から第３のアンテナＡ３に直接提供される）。より具体的には、パススルーモードでは、第１のアンテナＡ１は、信号スプリッタ／コンバイナ回路３２０を介してＢｌｕｅｔｏｏｔｈ信号ＢＴ１およびＷｉ−Ｆｉ信号ＷＦ１の通信を扱い、第２のアンテナＡ２は、第１のＬＴＥ信号ＬＴ１の通信を扱い、第３のアンテナＡ３は、第２のＬＴＥ信号ＬＴ２の通信を扱う。したがって、パススルーモードでは、Ｂｌｕｅｔｏｏｔｈ信号ＢＴ１もＷｉ−Ｆｉ信号ＷＦ１も、第１のアンテナＡ１を使用し、ＬＴ１信号は、専用アンテナとして第２のアンテナＡ２を使用し、第２のＬＴＥ信号ＬＴ２は、専用アンテナとして第３のアンテナＡ３を使用する。
【００２５】
選択信号ＡＮＴ＿ＳＥＬが、アンテナ共有モードを示す第２の（たとえば、アサート停止された）状態であるとき、スイッチＳＷ１は、Ｂｌｕｅｔｏｏｔｈ制御回路２２２をスプリッタ／コンバイナ回路３２０から切断し、Ｂｌｕｅｔｏｏｔｈ制御回路２２２をアンテナ共有論理回路３５０に結合させ、それにより、ＢＴ１信号をＢｌｕｅｔｏｏｔｈ制御回路２２２からアンテナ共有論理回路３５０にルーティングする。また、ＡＮＴ＿ＳＥＬのアサート停止された状態により、アンテナ共有論理回路３５０は、Ｂｌｕｅｔｏｏｔｈ信号ＢＴ１を第２のアンテナＡ２に結合させることになり、それにより、（たとえば、ＬＴ１信号ではなく）Ｂｌｕｅｔｏｏｔｈ信号ＢＴ１を第２のアンテナＡ２に効果的にルーティングする。より具体的には、アンテナ共有モードでは、第１のアンテナＡ１は、Ｗｉ−Ｆｉ信号ＷＦ１の通信を扱い、第２のアンテナＡ２は、Ｂｌｕｅｔｏｏｔｈ信号ＢＴ１の通信を扱い、第３のアンテナＡ３は、第２のＬＴＥ信号ＬＴ２の通信を扱う。したがって、アンテナ共有モードでは、Ｗｉ−Ｆｉ信号ＷＦ１は、専用アンテナとして第１のアンテナＡ１を使用し、Ｂｌｕｅｔｏｏｔｈ信号ＢＴ１は、専用アンテナとして第２のアンテナＡ２を使用し、第２のＬＴＥ信号ＬＴ２は、専用アンテナとして第３のアンテナＡ３を使用する。このようにして、第２のアンテナＡ２（通常、ＬＴＥ信号ＬＴ１を扱う）は、Ｗｉ−Ｆｉ信号ＷＦ１およびＢｌｕｅｔｏｏｔｈ信号ＢＴ１が別個のアンテナＡ１およびＡ２をそれぞれ使用することができるように、Ｂｌｕｅｔｏｏｔｈ信号ＢＴ１へ調停される。いくつかの実施形態の場合、ＡＮＴ＿ＳＥＬのアサート停止された状態は、ＬＴＥ制御回路２２３をアンテナ共有論理回路３５０から切断するために、および／またはＬＴ１チェーンと関連するＬＴＥ回路構成要素を電源切断するために使用することもできる。
【００２６】
さらに、アンテナ共有モード中、調停論理回路３１２は、たとえば、ＢＴチェーンに関連する較正設定値および／またはゲインテーブルの調整を相応に行うことができるように、第２のアンテナＡ２へのアクセスが許可されたことをＢｌｕｅｔｏｏｔｈ制御回路２２２に警告することができる。同様に、アンテナ共有モード中、調停論理回路３１２は、たとえば、（たとえば、コンバイナ／スプリッタ回路３２０内で、Ｗｉ−Ｆｉ信号ＷＦ１が信号ＢＴ１と合成されていない現在の状況を反映するために）ＷＬＡＮチェーンに関連する較正設定値および／またはゲインテーブルの調整を相応に行うことができるように、Ｂｌｕｅｔｏｏｔｈの第２のアンテナＡ２へのアクセスが許可されたことをＷＬＡＮ制御回路２２１に警告することができる。
【００２７】
他の実施形態の場合、デバイス３００は、Ｂｌｕｅｔｏｏｔｈ信号通信用にどのＲＦチェーンを使用すべきかをＢｌｕｅｔｏｏｔｈ制御回路２２２が選択することを可能にする別の論理回路を有する、追加のＢｌｕｅｔｏｏｔｈ  ＲＦ出力ピンを含むことができる。たとえば、図３Ｂは、ワイヤレスデバイス１００の別の実施形態であるワイヤレスデバイス３０１を示す。ワイヤレスデバイス３０１は、後述のように、ＢｌｕｅｔｏｏｔｈスイッチＳＷ１を省略することを可能にする、第２のＢｌｕｅｔｏｏｔｈ信号ＢＴ２を扱うための追加のポートをＢｌｕｅｔｏｏｔｈ制御回路２２２が含むように構成されることを除いて、図３Ａのワイヤレスデバイス３００と同様である。たとえば、ＬＴＥパススルーモード中、Ｂｌｕｅｔｏｏｔｈ制御回路２２２は、第１のポートに、コンバイナ／スプリッタ回路３２０を介してＢＴ１信号を第１のアンテナＡ１と通信させるようにでき、ＢＴ信号がアンテナ共有論理回路３５０に提供されないように第２のポートを無効にすることができる。次いで、アンテナ共有モード中、Ｂｌｕｅｔｏｏｔｈ制御回路２２２は、ＢＴ信号がコンバイナ／スプリッタ回路３２０を介して第１のアンテナＡ１に提供されないように、かつ第１のアンテナＡ１から受け取られないように第１のポートを無効にすることができ、ＢＴ信号がアンテナ共有論理回路３５０を介してＢＴ２として第２のアンテナＡ２に提供されるように第２のポートを有効にすることができる。
【００２８】
図３Ａ〜図３Ｂの例示的な実施形態は、Ｂｌｕｅｔｏｏｔｈ制御回路２２２を第２のアンテナＡ２に選択的に結合させるように構成されるアンテナ共有論理回路３５０を示すが、別の実施形態では、アンテナ共有論理回路３５０は、ＷＬＡＮ制御回路２２１を第２のアンテナＡ２に選択的に結合させるように構成され得ることに留意されたい。図３Ｃに示す代替構成３０２は、第２のアンテナＡ２を再びＬＴ１チェーンに急にまたは早期に切り替えることから生じるＷＬＡＮパケット損失が対応するＢｌｕｅｔｏｏｔｈパケット損失よりも好ましいアプリケーション（たとえば、Ｂｌｕｅｔｏｏｔｈ信号を介して送信されるオーディオデータがＷＬＡＮ信号を介して送信される非オーディオデータよりも優先度が高いと考えられるアプリケーション）に使用され得る。
【００２９】
さらに、ＬＴＥ制御回路２２３は、２つのアンテナＡ２およびＡ３に結合されるように示されるが、別の実施形態では、ＬＴＥ制御回路２２３は、単に単一のアンテナ（たとえば、第２のアンテナＡ２）に結合され得る。さらに別の実施形態では、ＬＴＥ制御回路２２３は、任意のタイプのセルラー通信プロトコル（たとえば、ＥＤＧＥ、ＵＭＴＳ、ＷｉＭａｘなど）の制御回路を含むことができる。
【００３０】
図４Ａは、図３Ａに示すアンテナ共有論理回路３５０の一実施形態であるアンテナ共有論理回路４００を示す。アンテナ共有論理回路４００は、第２のスイッチＳＷ２として示される。ＢＴ１信号に結合される第１のポートと、第１のＬＴＥ信号ＬＴ１に結合される第２のポートと、アンテナ選択信号ＡＮＴ＿ＳＥＬを受け取る制御入力部と、第２のアンテナＡ２に結合される第３のポートとを含むスイッチＳＷ２は、アンテナ選択信号ＡＮＴ＿ＳＥＬに応答してＢｌｕｅｔｏｏｔｈ信号ＢＴ１または第１のＬＴＥ信号ＬＴ１のいずれかを第２のアンテナＡ２に選択的に結合させる。スイッチＳＷ２は、任意の適切なＲＦスイッチとすることができる。いくつかの実施形態の場合、スイッチＳＷ２は、（たとえば、図４Ａに示すように）２：１マルチプレクサとして実装され得る。
【００３１】
いくつかの実施形態では、ＬＴＥ信号ＬＴ１およびＬＴ２は、Ｂｌｕｅｔｏｏｔｈ信号ＢＴ１（およびＷｉ−Ｆｉ信号ＷＦ１）とは異なる周波数でブロードキャストされ得る。たとえば、大部分のＢｌｕｅｔｏｏｔｈ信号は、２．４〜２．４８ＧＨｚ周波数バンドで動作するが、ＬＴＥ信号は、典型的には、約２．５ＧＨｚで動作する。したがって、ＬＴＥ信号をブロードキャストするために使用されるアンテナは、Ｂｌｕｅｔｏｏｔｈ信号をブロードキャストするために使用されるアンテナとはわずかに異なる周波数に同調し得る。この差を補償するために、いくつかの実施形態では、同調回路が提供される。
【００３２】
たとえば、図４Ｂは、図３Ａのアンテナ共有論理回路３５０の別の実施形態であるアンテナ共有論理回路４０１を示す。アンテナ共有論理回路４０１は、図４Ａのアンテナ共有論理回路４００のすべての構成要素と、第２のアンテナＡ２を選択的に同調させるために使用され得るチューナー回路４３０の追加分とを含む。より具体的には、チューナー回路４３０は、動作モード（たとえば、パススルーまたはアンテナ共有）に応じて、第２のアンテナＡ２の共振周波数を調整する。たとえば、アンテナ共有論理回路４００がパススルーモードで動作するとき、アンテナＡ２は、ＬＴ１信号をブロードキャストおよび／または受信すべきである。同調回路４３０は、アクティブでないか、または第２のアンテナＡ２を単に孤立させることがある（またはそうでない場合、同調回路４３０は、第２のアンテナＡ２を２．５ＧＨｚで動作するように設定することができる）。しかしながら、アンテナ共有論理回路４００がアンテナ共有モードで動作するとき、第２のアンテナＡ２は、Ｂｌｕｅｔｏｏｔｈ信号ＢＴ１を送信および／または受信すべきである。このシナリオでは、同調回路４３０は、Ｂｌｕｅｔｏｏｔｈ周波数レンジ（たとえば、２．４ＧＨｚと２．４８ＧＨｚとの間）で動作するようにアクティブ化され、第２のアンテナＡ２を同調させることができる。Ｂｌｕｅｔｏｏｔｈ／Ｗｉ−ＦｉおよびＬＴＥ信号の周波数レンジが互いに極めて近いので、大部分のアプリケーションでは、同調回路４３０は、Ｂｌｕｅｔｏｏｔｈ信号ＢＴ１をブロードキャストする、および／または受信する第２のアンテナの機能に顕著な影響を及ぼすことなく省略され得ることに留意されたい。他の実施形態の場合、同調回路４３０は、２つ以上の異なるセルラー共存フィルタ（cellular co-existence filter）間で選択することができ、そのような実施形態の場合、Ｂｌｕｅｔｏｏｔｈ制御回路２２２は、ＬＴＥおよびセルラーの周波数バンド内の信号を拒絶しながら、２．４８ＧＨｚの周波数を有する信号を通過させる第１のフィルタを使用することができ、ＬＴＥ制御回路２２３は、ＢＴおよびＷｉ−Ｆｉの周波数バンド内の信号を拒絶しながら、２．５ＧＨｚの周波数を有する信号を通過させる第２のフィルタを使用することができる。
【００３３】
図５は、通常の（パススルー）モードからアンテナ共有モードに切り替える際のワイヤレスデバイス３００の例示的な動作を示すフローチャート５００である。５０２において、ＷＬＡＮ制御回路２２１もＢｌｕｅｔｏｏｔｈ制御回路２２２も、第１のアンテナＡ１に結合され、第１のアンテナＡ１とデータを通信する。次いで、５０４において、アンテナ共有論理回路３５０は、ＬＴＥ制御回路２２３がアイドル状態であるかどうかを判定する。いくつかの実施形態では、アンテナ共有論理回路３５０は、ＬＴＥ制御回路２２３がアクティブか、またはアイドル状態であるかどうかを示すアンテナ選択信号ＡＮＴ＿ＳＥＬを受け取る。アンテナ選択信号ＡＮＴ＿ＳＥＬは、たとえば、ＬＴＥ制御回路２２３によって提供され得る。そうでない場合、アンテナ選択信号ＡＮＴ＿ＳＥＬは、ルックアップテーブルに記憶されたＬＴＥスケジューリング情報から生成され得る。上述のように、いくつかの実施形態の場合、ＬＴＥスケジューリング情報は、デバイス３００内のセルラー構成要素（たとえば、ＬＴＥ制御回路２２３）によって提供され得る。
【００３４】
ＬＴＥ制御回路２２３がＬＴＥ信号ＬＴ１およびＬＴ２を送信および／または受信している（たとえば、アンテナ選択信号ＡＮＴ＿ＳＥＬがアサートされる）とき、５０６において、アンテナ共有論理回路３５０は、ＬＴ１信号を第２のアンテナＡ２に関連付け続ける。反対に、ＬＴＥ制御回路２２３がアイドル状態である（たとえば、アンテナ選択信号ＡＮＴ＿ＳＥＬがアサート停止される）場合、アンテナ共有論理回路３５０は、５０８において、ＬＴＥ制御回路２２３を第２のアンテナＡ２から切断し、５１０において、Ｂｌｕｅｔｏｏｔｈ制御回路２２２を第２のアンテナＡ２に結合する。いくつかの実施形態の場合、ＬＴＥ制御回路２２３は、アンテナ選択信号のアサート停止に応答してパワーダウンされ得る。ＢｌｕｅｔｏｏｔｈスイッチＳＷ１は、５１２において、Ｂｌｕｅｔｏｏｔｈ制御回路２２２を第１のアンテナＡ１から切断する。このようにして、アンテナ共有論理回路３５０は、５１４において、第１のアンテナＡ１を介したＷｉ−Ｆｉ信号ＷＦ１の通信と同時に第２のアンテナＡ２を介したＢｌｕｅｔｏｏｔｈ信号ＢＴ１の通信を可能にする。
【００３５】
図６は、アンテナ共有モードから通常の（パススルー）モードに切り替える際のワイヤレスデバイス３００の例示的な動作を示すフローチャート６００である。６０２において、ＷＬＡＮ制御回路２２１もＢｌｕｅｔｏｏｔｈ制御回路２２２も、第１および第２のアンテナＡ１およびＡ２を介して、Ｗｉ−Ｆｉ信号ＷＦ１およびＢｌｕｅｔｏｏｔｈ信号ＢＴ１を同時に通信する。次いで、６０４において、調停論理回路３１２は、ＬＴＥ制御回路２２３がアクティブであるかどうかを判定する。いくつかの実施形態では、アンテナ共有論理回路３５０は、ＬＴＥ制御回路２２３がアクティブか、またはアイドル状態であるかどうかを示すアンテナ選択信号ＡＮＴ＿ＳＥＬを受け取る。アンテナ選択信号ＡＮＴ＿ＳＥＬは、上述のように、たとえば、ＬＴＥ制御回路２２３によって提供され得る。そうでない場合、アンテナ選択信号ＡＮＴ＿ＳＥＬは、ＬＴＥ制御回路２２３のスケジューリング情報を記憶するルックアップテーブルから決定され得る。
【００３６】
ＬＴＥ制御回路２２３がＬＴＥ信号ＬＴ１およびＬＴ２を送信および／または受信していない（たとえば、アンテナ選択信号ＡＮＴ＿ＳＥＬがアサート停止される）とき、６０６において、アンテナ共有論理回路３５０は、ＢＴ１信号を第２のアンテナＡ２に関連付け続ける。一方、ＬＴＥ制御回路２２３がアクティブである（たとえば、アンテナ選択信号ＡＮＴ＿ＳＥＬがアサートされる）場合、アンテナ共有論理回路３５０は、６０８において、Ｂｌｕｅｔｏｏｔｈ制御回路２２２を第２のアンテナＡ２から切断し、６１０において、ＬＴＥ制御回路２２３を第２のアンテナＡ２に結合する。ＢｌｕｅｔｏｏｔｈスイッチＳＷ１は、６１４において、Ｗｉ−Ｆｉ信号ＷＦ１およびＢｌｕｅｔｏｏｔｈ信号ＢＴ１を第１のアンテナＡ１を介して通信できるようにする一方で、ＬＴＥ信号ＬＴ１およびＬＴ２が第２および第３のアンテナＡ２およびＡ３を介してそれぞれ通信されるように、６１２において、Ｂｌｕｅｔｏｏｔｈ制御回路２２２を再び第１のアンテナＡ１に結合する。
【００３７】
上記に、特にＷｉ−Ｆｉ、Ｂｌｕｅｔｏｏｔｈ、およびＬＴＥの信号の送信に関する実施形態について説明してきたが、図５および図６で説明する方法は、同様に、Ｗｉ−Ｆｉ、Ｂｌｕｅｔｏｏｔｈ、および／またはＬＴＥの信号の受信に適用される。別の実施形態では、ＷＬＡＮ制御回路２２１（Ｂｌｕｅｔｏｏｔｈ制御回路２２２ではなく）は、アンテナ共有モード（たとえば、一方、第１のＬＴＥ信号ＬＴ１に関連するアイドル時間がある）中に、第１のアンテナＡ１から選択的に切断され、第２のアンテナＡ２に結合され得る。さらに、代替的に、ＬＴＥ制御回路２２３は、他のセルラーデータプロトコル（たとえば、ＥＤＧＥ、ＵＭＴＳ、ＷｉＭａｘなど）に従ってデータを送信および受信することができる。
【００３８】
上記の明細書の中で、本発明の実施形態はその特定の例示の実施形態を参照して説明されている。しかしながら、添付の特許請求の範囲に記載したように、様々な修正および変更が本開示のより広い趣旨および範囲から逸脱することなくなされ得ることは明らかであろう。したがって、本明細書および図面は、限定的な意味ではなく例示的な意味で解釈されるべきである。
【図１】
0005710839.tif 000002
【図２】
0005710839.tif 000003
【図３Ａ】
0005710839.tif 000004
【図３Ｂ】
0005710839.tif 000005
【図３Ｃ】
0005710839.tif 000006
【図４Ａ】
0005710839.tif 000007
【図４Ｂ】
0005710839.tif 000008
【図５】
0005710839.tif 000009
【図６】
0005710839.tif 000010